(57)【要約】      （修正有）【課題】歩行困難者の歩行を補助するための器具で、足底（足先）を地面から容易に持ち上げることができ、脚部への装着が簡単で、器具を装着したまま靴の脱着が容易で、また靴と容易に一体化することができる、つまずきを防止する器具と、靴を提供する。【解決手段】垂れ下がった足底（足先）を地面と平行に持ち上げる手段として、足甲部Ａと足首部Ｂと脛部Ｃから成る成形体を、硬質な薄板材から成形し、概成形体を脚部に装着するために１、足底を足甲に固定するために、２、脛部を固定するために、３、ふくらはぎ部を固定するために、帯状（テープ状）の軟質材を使用して、体型に合わせて各テープの長短を調整し、脚部に取り付けることにより、足底を脛と直角に近い角度で保持しながら、膝を上げたときに足底も地面と離れるようにした、汎用性が高く、安価に製造できるつまずき防止器具であり、概器具を装着した靴である。【選択図】図２
2018042961.tif 000002
【特許請求の範囲】
【請求項１】
硬質な薄板の材質（以後薄板材と称す）と薄い軟質材（以後軟質材と称す）から成り、
薄板材は、足の甲、足首、脛およびふくらはぎに沿った形状で立体的に成形され（以後成形体と称す）、
成形体は、
足甲に対応する部位（以後甲部Ａと称す）は、足首部分まで延び、
足首付近に対応する部位（以後足首部Ｂと称す）は、足首付近で、くるぶしを避けながら、くるぶしの上部付近に達し、
脛部付近に対応する部位（以後脛部Ｃと称す）は、足首部Ｂから膝方向に脛の形状に沿って脛を覆うように、脛のほぼ四分の一から半分近くまで立ち上がり、
なお頸部Ｃの形状は、脛の中央前面の薄板材が、足首付近から膝方向先端までＵ字状に切り取られ、
またふくらはぎに相当する部位の薄板材は、全体が欠落した状態で開放されており、
そのため脛部Ｃは、脚の両側面に二枚の曲面状の板を形成した形状から成り、
軟質材は三つの部材から成り、その一つは、
脛部Ｃ（二枚の曲面状の板）のふくらはぎ開放部を覆い、連結固定するための軟質材（以後テープＴー１と称す）であり、テープＴー１の一端は、脛部Ｃの一方に固定し、テープＴー１の他端は、ふくらはぎを覆って別の脛部Ｃに連結固定され、
上記軟質材の二つ目は、
脛部Ｃの脛開放部の脛側を覆い、連結固定するための軟質材（以後テープＴー２と称す）であり、テープＴー２の一端は、脛部Ｃの一方に固定し、テープＴー２の他端は、脛を覆って脛部Ｃのもう一方に連結固定され、
上記軟質材の三つ目は、
足底を地面から吊り上げるための軟質材（以後テープＴー３と称す）であり、
テープＴー３の一端は、甲部Ａの外側に連結固定され、テープＴー３の他端は、足底を囲い込むように輪を作って甲部Ａの内側に連結固定され、
テープＴー３の輪の長さ（大きさ）は、足底が、脚部と直角に近い角度になるように、甲部Ａまでの長さを調節できる帯状の形状を成し、
各軟質材の連結固定方法は、既知の固定方法、例えば鋲やボタンによる固定やカン（バックル）、面ファスナーを利用して固定する形状を持ち、
成形体と軟質材を組み合わせ一体化し、脚部に装着し、足底を脚部と直角近くに保持することにより、
歩行者困難者の歩行を補助することを特徴とするつまずき防止器具。
【請求項２】
甲部Ａが、足先方向先端から足首部Ｂ方向に、Ｏ字状またはＵ字状に切り欠かれ、またはＩ字状に１個または複数個の切り欠きを持ち、
または、および頸部Ｃに、Ｉ字状に１個または複数個の切り欠きを持ち、
または、および足底Ｄに、Ｉ字状に１個または複数個の切り欠きを持ったたことを特徴とする、
請求項１に記載のつまずき防止器具。
【請求項３】
請求項１および請求項２に記載のつまずき防止器具を、甲部Ａを靴の甲皮の内側またはベロ部分と接合した靴、またはベロ部分に換えて、使用したことを特徴とするつまずき防止靴。
【発明の詳細な説明】
【技術分野】
【０００１】  本発明は、歩行時に足先が十分に上がらずに、つまずいてよろけたり、転倒したりすることを防止するための器具および靴に関するものである。
【背景技術】
【０００２】  脳機能の傷害や脊髄の損傷、手術後の後遺症等、また高齢化に伴う肉体的な衰え、特に足の筋肉の衰えにより、歩行が困難だと感じる人は多い。足の筋肉の衰えは、たとえ平坦な道路や床であっても、つまずいたり転倒する原因となっている。さらに道路や床の段差や障害物は、つまずきや転倒の原因となる。その結果、外出の機会を少なくしている。【０００３】  上記のように歩行に支障を感じる方（以後歩行困難者と記す）に、種々な歩行補助装具が提案され、実用化されてきた。軽度の歩行困難者には杖の使用が効果的であるが、軽度であるが故に、また体裁にこだわって杖を使用しない歩行困難者は多い。また杖以外のつまずきを防止するための装具の装着などに煩わしさや外見上の見栄え、汎用性の乏しさ、および比較的高価であるとの理由などから、それほど普及していない。【０００４】  本発明は、軽中度の歩行困難者を対象とした歩行補助具としての装具である。概装具は、脚部に簡単に装着することがにでき、外観的にも違和感がなく、しかも装具を付けたまま、通常の靴に対しても、着脱に問題の無い、しかも個人差に対しても汎用性が高く、安価でつまずき防止効果が高い装具であり、また概つまずき防止器具を装備したつまずき防止靴に関するものである。
【先行技術文献】
【特許文献】
【０００５】
【特許文献１】特開２００１−２９９７９０号公報
【特許文献２】特開２００９−２４７５０８号公報
【特許文献３】特開２０１１−９８１７４号公報
【特許文献４】特開２００６−１３００４０号公報
【特許文献５】特開２０１０−５７８５２号公報
【特許文献６】特開２０１１−４５６５７号公報
【発明の開示】
【０００６】  本発明と公知の発明との差異を、特許文献に記載の発明と比較し、開示していく。
上記特許文献１に記載された装具は、歩行を補助するためには有効な手段であるが、足先を固定する靴状部は機能を優先して形成されているためデザイン性に乏しく、金属製の支柱もそのまま露出したものとなっている。
上記特許文献２に記載された装具は、歩行装具をカバーで覆い、デザイン性を向上させたものであるが、一般的な靴と比べ同一のレベルからはほど遠い物である。
上記特許文献３に記載された装具は、通常の補装具と靴とを合体させたものであり、通常の靴の中に補装具を付けた足を入れるものであり、外見上は一般の靴と何ら変わらないが、靴の着脱が難しく、また新規性が認められない。
上記特許文献４に記載された靴は、ズックのベロ開口部である紐部分の左右外側にファスナーを配置したことにより、ベロの前面への解放を可能としたというものであり、歩行困難者の歩行をサポートするものではない。
上記特許文献５に記載された装具は、足関節を被覆する軟質素材（繊維）を用いた筒状部材と、軟質部材を（繊維）用いた二本のベルトを使用するものであり、足先を上向けに保持するには、不十分である。
上記特許文献６に記載された装具は、脛および足の甲に沿って固定した添え体を備えるとともに、踝関節の角度を固定する、というものであり、装着に煩わしさがあり、外観上の見栄えも劣る。
【発明の概要】
【０００７】  本発明は、一枚の薄板状の硬質材料（プラスチック板、金属板など）を金型などで打ち抜き、打ち抜いた型を、熱成形や金型成形により立体的に成形した成形体に、ひも状または布状の軟質材料を取り付けた器具を脚部に装着することにより、膝の上下運動に連動して足底（特に足先）が上下運動するようにしたことを特徴としたつまずきを防止するための器具であり靴である。なお成形体は、薄板状から成るもの以外に、形状が同じようなものであれば、材質、製法に拘るものでない。また布状の軟質材は、材質や種類に関係がなく、使用する枚数も制限されない。
【発明が解決しようとする課題】
【０００８】  本発明の一つ目の課題は、装具が簡単に装着でき、ももまたは膝（以後膝と称す）に連動して、膝を上げたときに足底（つま先）も地面から離れるようにして、歩行時のつまずきを防止し、汎用性が高く、製作が簡単で、安価なつまずき防止用の器具を提供することにある。【０００９】  本発明の二つ目の課題は、上記のつまずき防止器具を靴に装着することによって、気軽に外出できるようにした靴、つまりつまずきを防止することを目的にした靴を提供することにある。
【課題解決するための手段】
【００１０】  一つ目の課題を解決するために、本発明の器具は、
硬質な薄板の材質（以後薄板材と称す）と薄い軟質材（以後軟質材と称す）から成り、
薄板材は、足の甲、足首、脛およびふくらはぎに沿った形状で立体的に成形され（以後成形体と称す）、
成形体は、
足甲に対応する部位（以後甲部Ａと称す）は、足首部分まで延び、
足首付近に対応する部位（以後足首部Ｂと称す）は、足首付近で、くるぶしを避けながら、くるぶしの上部付近に達し、
脛部付近に対応する部位（以後脛部Ｃと称す）は、足首部Ｂから膝方向に脛の形状に沿って脛を覆うように、脛のほぼ四分の一から半分近くまで立ち上がり、
なお頸部Ｃの形状は、脛の中央前面の薄板材が、足首付近から膝方向先端までＵ字状に切り取られ、
またふくらはぎに相当する部位の薄板材は、全体が欠落した状態で開放されており、
そのため脛部Ｃは、脚の両側面に二枚の曲面状の板を形成した形状から成り、
軟質材は三つの部材から成り、その一つは、
脛部Ｃ（二枚の曲面状の板）のふくらはぎ開放部を覆い、連結固定するための軟質材（以後テープＴー１と称す）であり、テープＴー１の一端は、脛部Ｃの一方に固定し、テープＴー１の他端は、ふくらはぎを覆って別の脛部Ｃに連結固定され、
上記軟質材の二つ目は、
脛部Ｃの脛開放部の脛側を覆い、連結固定するための軟質材（以後テープＴー２と称す）であり、テープＴー２の一端は、脛部Ｃの一方に固定し、テープＴー２の他端は、脛を覆って脛部Ｃのもう一方に連結固定され、
上記軟質材の三つ目は、
足底を地面から吊り上げるための軟質材（以後テープＴー３と称す）であり、
テープＴー３の一端は、甲部Ａの外側に連結固定され、テープＴー３の他端は、足底を囲い込むように輪を作って甲部Ａの内側に連結固定され、
テープＴー３の輪の長さ（大きさ）は、足底が、脚部と直角に近い角度になるように、甲部Ａまでの長さを調節できる帯状の形状を成し、
各軟質材の連結固定方法は、既知の固定方法、例えば鋲やボタンによる固定やカン（バックル）、面ファスナーを利用して固定する形状を持ち、
成形体と軟質材を組み合わせ一体化し、脚部に装着し、足底を脚部と直角近くに保持することにより、
歩行者困難者の歩行を補助することを特徴とするつまずき防止器具である。
【００１１】  本発明のつまずき防止器具の目的は、膝を上に持ち上げたときに足底（つま先）も同時に地面から持ち上げられることにある。以下図を持って説明する。
【００１２】  図１は、つまずき易い歩行困難者の足の状態を表す。脛を地面に直角に立て空中に浮かせたとき、足底は脛に直角にならず、αの角度で地面方向に垂れ下がる。すなわち膝を十分に上げないと、足先は接地面から離れず、その状態で歩行すると平坦な場所であってもつまずくことになる。ましてや路面の状態が悪かったり段差があれば、なおさらである。
【００１３】  図２は、本発明のつまずき防止器具を装着した状態の足を示す。器具のつまずき防止機能により、膝を持ち上げたとき、足底も同時に接地面から持ち上げられ、同様につま先も地面から平行に持ち上げられるため、つまずきを防止できる。すなわち、つまずき防止器具を装着すると、膝を垂直に持ち上げると、図１に示す足底と地面の角度αが、０度に近い状態を常に維持することができる。
【００１４】  図３に成形体を制作するための一例を示す。硬質の薄板材（例えば、プラスチック材など）を型抜きした模式図である。図４は、図３の型抜きした型を熱成形や金型成形などにより、立体的に成形した模式図であり、成形体は甲部Ａ、足首部Ｂおよび頸部Ｃから成り、立体的に形成される。成形体は、体の大きさや、足の大きさ、性差などによる個人差、および足の左右差の影響をあまり受けない。そのため、かなりの部分、標準的な大きさの製作器具で大半の要望に対応でき、また標準的な大きさ以外に数種類の大きさや形状を用意すればよく、それらの器具も安価に調達できることも大きな特徴である。成形体は図３の型抜きの他、射出成形、鋳型成形など既存の製造技術で制作することかできる。また成形材の材質や厚さ、各部の幅などは、足および靴を含めた重量を支えるに十分な強度があればよい。
【００１５】  本発明の請求項２の特徴を、図４によって説明する。図４の甲部は、甲部Ａのつま先方向から足首方向に向かってＯ字状に切り欠いた形状になっている。なおこの切り欠きは、つま先方向がＵ字状に開放されている形状であっても良い。先端部をＵ字状に切り欠くことも、甲部Ａの一部を甲部に平行して、Ｉ字状の切り欠きを複数も設けることも、また切り欠きを設けないことも本発明の範疇である。これらの切り欠きによって、後述するように、軟質材で足底を持ち上げるまでの軟質材の長さの調節や軟質材を面ファスナーなどで固定するなどに利用することが出来る。
【００１６】  また図３や図４に図示したように脛部ＣにＩ字状の切り欠きを脛に平行に複数設けているが、これらの切り欠きも、軟質材のテープの端を挿入し、面ファスナーなどで固定する役割を果たす上で重要な切り欠きである。もちろん軟質材を成形体に固定する方法は、面ファスナーに限ったものでなく、接着剤や鋲、ボタンなどの既知の固定方法であっても良い。また足首Ｂは、脛方向からＵ字状に大きく切り取られているため、歩行時に足首関節を固定すること無く、上下に自由に動かすことができる。
【００１７】  脚部に本発明のつまずき防止器具を装着した模式図（２図）に見られるように、成形体は、軟質材によって脚部に固定されるため、軟質材の長さを調節することによって、足の大きさに対応する自由度が大きく、長さの調節は切り欠きを利用することによって、ほぼ任意である。
【００１８】  図５は、軟質材（テープＴー１、テープＴー２、テープＴー３）および硬質材Ｄの概念図である。テープＴー１およびテープＴー２は、脛部Ｃの対応する切り欠きに挿入し、脛やふくらはぎを覆って成形体を脚部に固定するための部材である。テープの一端を切り欠きに挿入し、折り返し、面ファスナーで固定し、他端を対応する切り欠きに挿入し、テープの長さを調節した後、面ファスナーで固定することが出来る。脛部ＣのＩ字状の切り欠きは、入れる場所や太さ、長さ、および本数は任意に決められる。また面ファスナーを、成形体の適宜な位置に配置し、軟質材にも対応した位置に面ファスナーを配置することによって、両者を容易に固定できる。軟質材や成形体が肌にあたる面に弾力性のある材質を複合して使用することは、本発明の範疇である。
【００１９】  図２には図示されていないが、図２のテープＴー３の足底にあたる中央部に、足底Ｄを配置固定することができる。足底Ｄを配置することによって、膝の上下運動に連動して足底が容易に動く形状であればよい。またテープＴー３の長さは任意に変えられるので、足の大きさ（個人差）に関係なく対応できる。
【００２０】  図２から分かるように足底を支える部材は、軟質材のＴ−３（および足底Ｄ）であり、ふくらはぎ部を含めて、Ｔ−２まで開放されている。これは本発明の大きな特徴であり、装具としての自由度の大きさを表しており、足底を支える目的以外の制約は、殆どなく、外見上もすっきりした形である。
【００２１】  成形体の材質は、強度がそれほど要求されないため、薄い素材でも使用することができる。また軟質材も薄手の素材が使用できるため、脚部に装着しても重量感を感ずること無く、すっきりした靴下感覚で着用でき、そのため概器具を着用したまま、通常の靴を履くことができ、外出するときに煩わしさがない。すなわち日常生活で屋内、屋外を問わず通常に装着できる。
【００２２】本発明の請求項３は、本発明のつまずき防止器具を用いたつまずき防止靴である。屋内で器具の装着をしていない軽度の歩行困難者でも、外出した時には、道路事情などにより、歩行に不安を感じることがある。現在簡単に着脱でき、外見上も違和感のないつまずき防止機能を備えた靴がなく、やむなく普通の靴を履いて外出する歩行困難者がいる。本発明はそうした人を対象にした、つまずき防止靴である。
【００２３】  本発明のつまずき防止靴は、請求項１および２に記載のつまずき防止器具を応用し、普通の靴に取り付けて、つまずき防止用の靴とした。
【００２４】  図６は、つまずき防止靴の一例を示した模式図である。つまずき防止器具（本体）から、テープＴ−３部分を取り除いた器具（以後本体２と称す）であり、本体２の甲部Ａを靴のベロ部（または甲皮）に固定した靴である。本体２の固定は、靴の製造時に行うことができるが、完成した靴に本体２を後付けすることによってもできる。簡便な後付け方法の一つとしては、面ファスナーの一面を靴のベロ部（または甲皮）に接着し、面ファスナーの他面を本体２の甲部Ａに貼着した後、両者を固定する方法がある。その他の後付けの方法は、接着剤、ボタン、あるいは鋲による固定など、既知の技術が利用できる。
【００２５】  また、ベロ部を袋状にし、本体２の甲部Ａをこの袋に挿入することによって、つまずき防止靴にする。またこの袋状ベロ部を持つ靴は、袋状ベロ部に硬質の板材を挿入することによって、靴を履くときにベロ部が靴内部に巻き込まれることを防ぎ、靴を履き易くすることができる。
【００２６】  また、靴のベロ部を本体２の甲部Ａに換えることによって、靴とつまずき防止器具が一体化し、より安全なつまずき防止靴となる。本体２の甲部Ａ（ベロ部分）や足首Ｂ、脛部Ｃに各種の装飾を施すことにより、おしゃれを演出した靴にすることができる。左右の靴を同様にすることで、外出用の靴に仕立てることもできる。
【発明の効果】
【００２７】  本発明のつまずき防止器具は、筋肉の衰えなどによって、足底を十分に持ち上げられなくなり、足先が垂れ下がった状態の足底を、膝の上下運動に連動して、足底が脛に対して常に直角に保持することができる。また他の関節は自由に動けるようにした器具である。硬質な薄板材と軟質材を使用し、余分な部材を使用しないため、軽量にできる。また各部の固定や脚部に対する固定に、テープ状の軟質材と面ファスナーを使用することによって、単一製品で広範な脚部の大きさに対応できるように設計されており、汎用性を持つ。
【００２８】  さらに本発明のつまずき防止器具は、足の左右、大小、性別などにほとんど関係なく、標準的なサイズで対応でき、それに合わないサイズにも数種類のサイズを用意すれば、ほとんどの脚部に対応できる。さらに、この器具を装着していても、普通の靴を普通に履くことができる。されに、この器具は、通常の靴に簡単に取り付けることができるため、一般の靴をつまずき防止靴に改良することができる。
【００２９】  また、本発明のつまずき防止器具本体２を靴のベロ部に取り付けることによって、一般の靴をつまずき防止靴にすることができる。さらにベロ部の代わりにつまずき防止器具を取り付けることによってつまずき防止器具と一体化した靴にできる。また本体２を装飾することにより、ファッショナブルな靴に変貌させ、一層外出用の靴とすることもできる。
【図面の簡単な説明】
【００３０】
【図１】  歩行困難者の脚部の模式図である。
【図２】  本発明に係るつまずき防止器具を脚部に装着したときの模式図である。
【図３】  薄板材の型抜きしたときの模式図（切り欠き入り）である。
【図４】  図３を成形したときの模式図（成形体）（切り欠き入り）である。
【図５】  成形体に取り付けられる各部の軟質材および足底Ｄの模式図である。
【図６】  靴の袋状ベロ部に、本体２を取り付けたつまずき防止靴の模式図である。
【図７】  図６のつまずき防止靴を脚部に装着したときの模式図である。
【図８】  足底Ｄに軟質材Ｔ−３を取り付けた模式図、および本体２の甲部Ａに切り欠きなしの形態とＴ−１の固定方法およびＴ−２の別の形態の模式図である。
【図９】  図８の本体２と足底Ｄを脚部に装着したときの模式図である。
【発明を実施するための形態】
【００３１】  以下本発明によるつまずき防止器具について、実施例を挙げて説明する。
【実施例１】
【００３２】  図１は、つまずき易い歩行困難者の足の状態を示す。図２は、本発明のつまずき防止器具を図１の脚部に装着した状態を示す。足底が垂れ下がった状態から、つまずき防止器具を装着することによって、足底が脛とほぼ直角に近い状態に保持される。膝を持ち上げたとき、足底も同時に持ち上げられるため、足底が接地面から離れ、歩行するときのつまずきを防止できる。【００３３】  図３は、一枚の薄板材（例えば、プラスチック材など）を金型などで型抜きしたときの平面の模式図である。なお図３は、甲部Ａと脛部Ｃに切り欠きを設けている。図４は、図３の型抜きした薄板材を圧熱成形などにより、立体的に成形した成形体の模式図である。成形体は甲部Ａ、足首部Ｂおよび頸部Ｃを形成する。成形体の大きさ（寸法）は、足の左右、足の大きさ、性差による差をほとんど受けないため、標準的な大きさの器具の他、大小数種類の大きさの器具を揃えることによって、ほとんどの足に対応できることも、特徴のひとつである。【００３４】  図２、図３は、足甲Ａや脛部Ｂに切り欠き（以後記号Ｋとして記す）を設けた図として示しているが、これらのＫは無くてもよい。図４の甲部ＡのＫは、Ｏ字状の切り欠きとして示しているが、Ｕ字状に切り欠いて二股に分かれた形態でも良い。脛部ＣのＫを含めこれらのＫは、足底を持ち上げ保持するためのテープＴー３や、脛を固定するためのテープＴ−２、ふくらはぎを固定するためのテープ−１を挿入し固定するためのものである。これらのテープの固定は、既知の別の固定法によっても固定できるため、Ｋの有無は本発明の範疇である。【００３５】  図５は、面ファスナー機能を持った軟質材（テープＴー１、テープＴー２、テープＴー３）および足底Ｄを示している。軟質材テープＴー１は、脛部Ｃのふくらはぎに位置するＫに対応しており、テープＴー１の一端を切り込みＫに挿入し、テープを折り返して面ファスナーで固定する。テープＴー１の他端をもう一方の切り込みＫに挿入し、テープを折り返し長さを調節して面ファスナーで固定する。テープＴー２は、脛部Ｃの脛に位置するＫに対応しており、テープＴー２の一端を切り込みＫに挿入し、テープを折り返して面ファスナーで固定する。切り欠きを入れる場所は任意であり、目的によってその数も変えられる。テープの長さと幅は、任意である。【００３６】  成形体の軟質材テープＴー３の足底に相当する中央部分に、足底を支える薄板材（足底Ｄ）を配置、固定することによって、膝の上下動作に連動し、足底も上下運動ができるようにしたつまずき防止器具も本発明に含まれる。足底Ｄを配置することによって、軟質材テープＴー３の足底への食い込みを防ぎに、血流の阻害を防止することができる。また足底Ｄの形状を変えることによって、一層付け心地が良く、膝との連動性のよい足底に改良することができる。また足底Ｄの素材を選ぶことによって、滑り性も改善できる。【００３７】  軟質材の素材は、柔軟性のある素材であれば限定されるものではない。また各テープの素材は、テープが使われる場所の適正にあったものであれば、素材の種類は別々であっても良い。ただ引っぱり方向に対しては、伸縮性の少ない素材が望ましい。また成形体や軟質材が、足の肌に直接触れるような場所には、肌に優しく弾力性のある素材を組み合わせることが望ましい。
【実施例２】
【００３８】  本発明の請求項３の実施例を実施例２に示す。本発明のつまずき防止器具を一般の靴と組み合わせることによって、つまずきを防止するつまずき防止靴となる。本発明のつまずき防止器具を脚部に装着した状態でも、靴の着脱に支障を来たすことはほとんどないが、軽度の歩行困難者の中には、日常生活（居宅内）ではつまずき防止器具を使用しない人でも、外出時には歩行に不安を感じ、つまずき防止機能を備えた靴が必要と思っている人に対して好適な靴を提供する。本発明は、つまずき防止器具本体から、足底を支えるためのテープＴー３を取り除いた状態のつまずき防止器具（以後本体２と称す）を、一般の靴に装着した靴であり、以後つまずき防止靴と称す。【００３９】  図６は、つまずき防止靴の一例を示した模式図である。靴のベロ部（または甲皮）に本体２の甲部Ａを取り付けた靴である。本体２の固定は、靴の製造時に行うことができるが、完成した靴に本体２を後付けすることによってもできる。簡便な後付け方法の一つとしては、靴のベロ部（または甲皮）に貼着した面ファスナーに、本体２の甲部（Ａ）に貼着した面ファスナーで接合することにより、両者を固定する方法がある。その他の後付けの方法としては、接着剤、ボタン、あるいは鋲による固定など、既知の技術が利用できる。【００３６】  図６は、本体２の甲部Ａを挿入するための開口部が有る袋状のベロ部を設け、本体２の甲部Ａをこの袋に挿入することによって一体化した、つまずき防止靴である。またこの袋状ベロ部の別の利用方法として、袋状ベロ部に硬質の素材を挿入することによって、靴を履くときに、靴の内部にベロ部が巻き込まれることを防止することができ、靴の着脱が容易になる。【００３７】  本発明の請求項３のつまずき防止靴は、靴のベロ部を本体２の甲部Ａに置換した靴も含む。硬質の本体２がベロ部に置換されているため、安定感のある靴になる。靴のサイドにファスナーなどを付けることにより、本体２（甲部Ａの先端部を軸に）が、前方に大きく折り曲げられるため、さらに靴の着脱が容易になる。靴とつまずき防止器具（本体２）が一体化されることにより、つまずき防止器具の付け忘れがなくなり、また当初から靴の一部としてデザインされ、装飾性が加味された靴として、一層ファッション性が高い、外出に適したつまずき防止靴になる。【００３８】  図７は、つまずき防止靴を装着したときの模式図である。外観的には、つまずき防止器具を装着し、靴を履いたときの外観と同じである。つまずき防止器具は、テープ３によって足底を吊り上げているが、つまずき防止靴はテープ３の代わりに、靴の甲皮全体でその役割を果たしている。【００３９】  図８は、図４に示した成形体と殆ど同じであるが、成形体に切り欠きが無く、また軟質材の固定方法が、若干異なった本体２を示している。テープＴ−１は鋲で固定されており、テープＴ−１の折り返しは、カンを使用しているが、折り返したテープの固定は面ファスナーを使用している。並列に図示しているのは、足底ＤとテープＴ−３を組み合わせたものであり、面ファスナーを備え、甲部Ａを巻いた後、面ファスナーで固定する。【００４０】  図９は、図８に示した本体２に足底部分を組み合わせた本体を、脚に装着した���きの模式図を示している。図のように成形体に切り欠きが無く、テープ１は鋲によって固定され、テープ１の折り返しはカンを配置固定し、カンで折り返したテープＴ−１は、面ファスナーで固定する。なおテープＴ−２は、厚めの弾性体を貼着した軟質材テープで併用し、他の肌にあたる部分にも同様な弾性体を貼着し、肌を硬質材から守っている。また足底は、足底Ｄを配置固定したテープ３によって、甲部Ａに吊り下げられている。
【産業上の利用可能性】
【００４１】  本発明は、つまずき防止器具、およびつまずき防止靴を製造する産業に利用される。
【符号の説明】
【００４１】  成形体    軟質材を取り付ける前の成形した硬質材
甲部Ａ    成形体の甲部分
足首部Ｂ  成形体の足首部分
脛部Ｃ    成形体の脛部分
足底Ｄ    Ｔ−３に付属する硬質材
α        地面と足先が作る角度
本体      成形体の各部に軟質材を取り付けた本発明のつまずき防止器具
本体２    本体にテープ３を付ける前の状態
Ｔ−１    ふくらはぎ部を覆うテープ  斜線部；面ファスナーを表す
Ｔ−２    脛部を覆うテープ          斜線部；面ファスナーを表す
Ｔ−３    足底を吊り上げるテープ    斜線部；面ファスナーを表す
Ｋ        各部に設けられた切り欠き
鋲        テープを固定するための留め具
カン      テープを折り返すための固定された治具
【図１】
2018042961.tif 000003
【図２】
2018042961.tif 000004
【図３】
2018042961.tif 000005
【図４】
2018042961.tif 000006
【図５】
2018042961.tif 000007
【図６】
2018042961.tif 000008
【図７】
2018042961.tif 000009
【図８】
2018042961.tif 000010
【図９】
2018042961.tif 000011